(57)【要約】  【課題】携帯電話機の電話帳システムへの電話帳データの登録作業を代行して、高齢者を初め一般ユーザが電話帳データ登録システムを有効に活用できるようにすること。  【解決手段】本発明の電話帳データ登録方法においては、複数のユーザの携帯電話機と少なくともひとつのサーバコンピュータとがネットワークを介して接続し得るように構成されたシステムを用いて電話帳データを携帯電話機に登録する電話帳データ登録方法であって、各ユーザが管理する紙媒体に記録された複数の相手先名とそれぞれの電話番号を、各ユーザ毎に前記サーバコンピュータに登録してユーザ毎の電話帳データを作成する手順と、各ユーザの携帯電話機を前記ネットワークを介して前記サーバコンピュータに接続して、各ユーザの電話帳データを前記サーバコンピュータから転送する手順とを含み、前記サーバコンピュータから転送した電話帳データを各ユーザの携帯電話機に登録するように構成されている。【選択図】      図１
2005130263.tif 000002
【特許請求の範囲】
【請求項１】
複数のユーザの携帯電話機と少なくともひとつのサーバコンピュータとがネットワークを介して接続し得るように構成されたシステムを用いて電話帳データを携帯電話機に登録する電話帳データ登録方法であって、
各ユーザが管理する紙媒体に記録された複数の相手先名とそれぞれの電話番号を、各ユーザ毎に前記サーバコンピュータに登録してユーザ毎の電話帳データを作成する手順と、
各ユーザの携帯電話機を前記ネットワークを介して前記サーバコンピュータに接続して、各ユーザの電話帳データを前記サーバコンピュータから転送する手順と
を含み、
前記サーバコンピュータから転送した電話帳データを各ユーザの携帯電話機に登録するように構成されたことを特徴とする電話帳データ登録方法。
【請求項２】
それぞれがクライアントコンピュータを備えた複数の仲介ショップと、
前記複数の仲介ショップの各クライアントコンピュータとネットワークを介して接続し得るサーバコンピュータと、
前記クライアントコンピュータからデータを転送し得る複数の携帯電話機とから構成された電話帳データ登録システムであって、
特定のユーザが、それぞれが管理する複数の相手先名とそれぞれの電話番号を記録した紙媒体と、
該紙媒体に記録された複数の相手先名とそれぞれの電話番号とを電子データ化して各ユーザ毎の電話帳データとして前記サーバコンピュータに登録する登録手段と、
複数のユーザ毎の電話帳データをユーザ別に保存する保存手段と、
前記クライアントコンピュータが前記サーバコンピュータに接続されたとき、サーバコンピュータに保存された電話帳データを前記クライアントコンピュータへ転送する第１転送手段と、
前記特定のユーザの携帯電話機を前記クライアントコンピュータに接続したとき、前記クライアントコンピュータへ転送された電話帳データを前記携帯電話機に転送する第２転送手段とを備え、
特定のユーザは、紙媒体に記録された複数の相手先名とそれぞれの電話番号とを前記仲介ショップへ持ち込むことによって、クライアントコンピュータから電子データ化された電話帳データへ転送して登録し得るように構成されていることを特徴とする電話帳データ登録システム。
【請求項３】
前記サーバコンピュータは、各ユーザ毎の電話帳データを蓄積する蓄積手段を備えていることを特徴とする請求項２に記載の電話帳データ登録システム。
【請求項４】
複数のユーザ毎の電話帳データが登録された電話帳サーバコンピュータと、
特定のユーザから接続されて、予め登録された相手先との通話を指定されたときに、前記指定された相手先を呼び出して、特定のユーザの回線と接続する回線制御手段と
を備えたことを特徴とする回線接続システム。
【発明の詳細な説明】
【技術分野】
【０００１】
本発明は、携帯電話機が備えている電話帳システムへの電話帳データの作成・入力の作業を補助する技術に関するものである。
【背景技術】
【０００２】
現在使用されている携帯電話機（ＰＨＳを含む。）は、電話帳データとして多数の電話番号を予め登録しておくことができる（これを電話帳システムという。）。そして、電話を掛ける場合には、前記電話帳データの中から選択するだけでよいので、手帳形式の電話帳をめくって長い電話番号を入力する手間が不要になるとともに、電話番号の入力間違いも防げるので大変便利である。また、前記電話帳データに登録された相手からの着信の場合には、相手先の電話番号の代りに相手先名を表示させることも可能であるので、誰からの着信かを確認してから電話に出ることができるので便利である。
【発明の開示】
【発明が解決しようとする課題】
【０００３】
このように大変便利な電話帳システムであるが、その恩恵を受けるには、予め手帳形式の電話帳等の紙媒体に記録された電話番号を登録するという面倒な作業が必要となる。ところが、携帯電話機の小さなキーと狭い画面を見ながら長い電話番号と相手先名を登録する作業は大変面倒である。特に、高齢者にとっては、そのような登録手順も解りにくく、困難な作業である。
【０００４】
そこで、本発明は、電話帳データの登録作業を代行して、高齢者を初め一般ユーザが電話帳システムを有効に活用できることを目的としてなされたものである。
【課題を解決するための手段】
【０００５】
本発明にかかる請求項１の電話帳データ登録方法においては、
複数のユーザの携帯電話機と少なくともひとつのサーバコンピュータとがネットワークを介して接続し得るように構成されたシステムを用いて電話帳データを携帯電話機に登録する電話帳データ登録方法であって、
各ユーザが管理する紙媒体に記録された複数の相手先名とそれぞれの電話番号を、各ユーザ毎に前記サーバコンピュータに登録してユーザ毎の電話帳データを作成する手順と、
各ユーザの携帯電話機を前記ネットワークを介して前記サーバコンピュータに接続して、各ユーザの電話帳データを前記サーバコンピュータから転送する手順と
を含み、
前記サーバコンピュータから転送した電話帳データを各ユーザの携帯電話機に登録するように構成されている。
請求項２の電話帳データ登録システムは、
それぞれがクライアントコンピュータを備えた複数の仲介ショップと、
前記複数の仲介ショップの各クライアントコンピュータとネットワークを介して接続し得るサーバコンピュータと、
前記クライアントコンピュータからデータを転送し得る複数の携帯電話機とから構成された電話帳データ登録システムであって、
特定のユーザが、それぞれが管理する複数の相手先名とそれぞれの電話番号を記録した紙媒体と、
該紙媒体に記録された複数の相手先名とそれぞれの電話番号とを電子データ化して各ユーザ毎の電話帳データとして前記サーバコンピュータに登録する登録手段と、
複数のユーザ毎の電話帳データをユーザ別に保存する保存手段と、
前記クライアントコンピュータが前記サーバコンピュータに接続されたとき、サーバコンピュータに保存された電話帳データを前記クライアントコンピュータへ転送する第１転送手段と、
前記特定のユーザの携帯電話機を前記クライアントコンピュータに接続したとき、前記クライアントコンピュータへ転送された電話帳データを前記携帯電話機に転送する第２転送手段とを備え、
特定のユーザは、紙媒体に記録された複数の相手先名とそれぞれの電話番号とを前記仲介ショップへ持ち込むことによって、クライアントコンピュータから電子データ化された電話帳データへ転送して登録し得るように構成されている。
請求項３の電話帳データ登録システムは、
前記サーバコンピュータは、各ユーザ毎の電話帳データを蓄積する蓄積手段を備えていることを特徴としている。
請求項４の回線接続システムは、
複数のユーザ毎の電話帳データが登録された電話帳サーバコンピュータと、
特定のユーザから接続されて、予め登録された相手先との通話を指定されたときに、前記指定された相手先を呼び出して、特定のユーザの回線と接続する回線制御手段と
を備えている。
【発明の効果】
【０００６】
請求項１の電話帳データ登録方法は、複数のユーザの携帯電話機と少なくともひとつのサーバコンピュータとがネットワークを介して接続し得るように構成されたシステムを用いて電話帳データを携帯電話機に登録する電話帳データ登録方法であって、
各ユーザが管理する紙媒体に記録された複数の相手先名とそれぞれの電話番号を、各ユーザ毎に前記サーバコンピュータに登録してユーザ毎の電話帳データを作成する手順と、
各ユーザの携帯電話機を前記ネットワークを介して前記サーバコンピュータに接続して、各ユーザの電話帳データを前記サーバコンピュータから転送する手順と
を含み、前記サーバコンピュータから転送した電話帳データを各ユーザの携帯電話機に登録するように構成されているので、
各ユーザは自分で自分の携帯電話機に直接電話帳データを入力して登録する手間が省けるという効果が得られる。
請求項２の電話帳データ登録システムは、
それぞれがクライアントコンピュータを備えた複数の仲介ショップと、
前記複数の仲介ショップの各クライアントコンピュータとネットワークを介して接続し得るサーバコンピュータと、
前記クライアントコンピュータからデータを転送し得る複数の携帯電話機とから構成された電話帳データ登録システムであって、
特定のユーザが、それぞれが管理する複数の相手先名とそれぞれの電話番号を記録した紙媒体と、
該紙媒体に記録された複数の相手先名とそれぞれの電話番号とを電子データ化して各ユーザ毎の電話帳データとして前記サーバコンピュータに登録する登録手段と、
複数のユーザ毎の電話帳データをユーザ別に保存する保存手段と、
前記クライアントコンピュータが前記サーバコンピュータに接続されたとき、サーバコンピュータに保存された電話帳データを前記クライアントコンピュータへ転送する第１転送手段と、
前記特定のユーザの携帯電話機を前記クライアントコンピュータに接続したとき、前記クライアントコンピュータへ転送された電話帳データを前記携帯電話機に転送する第２転送手段とを備え、
特定のユーザは、紙媒体に記録された複数の相手先名とそれぞれの電話番号とを前記仲介ショップへ持ち込むことによって、クライアントコンピュータから電子データ化された電話帳データへ転送して登録し得るように構成されているので、
各ユーザは、紙媒体に記録された相手先とその電話番号をショップに持ち込むだけで、後で電子化された電話帳データを取得することができ、自分で自分の携帯電話機に直接電話帳データを入力して登録する手間が省けるという効果が得られる。
請求項３の電話帳データ登録システムでは、
前記サーバコンピュータは、各ユーザ毎の電話帳データを蓄積する蓄積手段を備えているので、サーバコンピュータには多数のユーザの電話帳データが各ユーザ別に蓄積され、電話帳データのバックアップの機能と、蓄積された電話帳データに基づいた細かなサービス業務を行うことが可能となる。
請求項４の回線接続システムは、
複数のユーザ毎の電話帳データが登録された電話帳サーバコンピュータと、
特定のユーザから接続されて、予め登録された相手先との通話を指定されたときに、前記指定された相手先を呼び出して、特定のユーザの回線と接続する回線制御手段と
を備えているので、各ユーザは自分で相手先へ電話しなくても、前記電話帳サーバコンピュータと回線制御手段とを利用して相手先へ接続することができる。
【発明を実施するための最良の形態】
【０００７】
以下に、本発明にかかる電話帳データ登録方法とそのシステムを、その実施の形態を示した図面に基づいて詳細に説明する。
図１において、
１Ａは仲介ショップであり、少なくとも１台のクライアントコンピュータ11Ａと、ファックス装置12と、前記クライアントコンピュータ11Ａに接続されたプリンタ13とを備えている。このような仲介ショップは、各地に配置されており、各ショップには店員が常駐している。
２はセンタであり、前記各地の仲介ショップとネットワークＮを介して接続されたサーバコンピュータ３及びファックス装置22を備えている。
【０００８】
前記クライアントコンピュータ11Ａは前記ネットワークを介して前記サーバコンピュータ３と接続して通信し得る通信手段14と、ユーザが持ち込んだ携帯電話機ＨＰと接続してデータの転送を行うための転送手段15とを備えている。
【０００９】
自分の管理する電話帳の情報を自分の携帯電話機ＨＰに登録することを希望する特定のユーザは、
先ず、自分の電話帳もしくはそのコピーを、紙媒体のまま何れかの仲介ショップに持ち込で電子化を依頼する。
その仲介ショップは持ち込まれた紙媒体の電話帳を、仲介ショップの前記ファックス装置12からセンタの前記ファックス装置22へ電送する。
センタでは、ファックスで受信した電話帳を、オペレータもしくはＯＣＲ等の読み取り手段を利用して電子化する。
このようにして電子化された電話帳データは、前記ユーザの電話帳データとしてサーバコンピュータ３に登録される。
【００１０】
このように、複数のユーザが持ち込んだ紙媒体の電話帳は、前記サーバコンピュータ３にそれぞれのユーザ別に電話帳データが登録される。
従って、サーバコンピュータ３には、各ユーザ毎の電話帳データのデータベースが構築されるのである。
【００１１】
前記サーバコンピュータ３への電話帳データの登録が終了した後、前記ユーザが自分の携帯電話機ＨＰを持って前記仲介ショップ１Ａを再訪すると、
前記仲介ショップ１Ａのクライアントコンピュータ11Ａを、前記通信手段14によって前記センタ２のサーバコンピュータ３と接続する。そして、前記サーバコンピュータ３から前記ユーザの電話帳データをネットワークＮを介してクライアントコンピュータ11Ａに転送する。そして、図２に示したように、転送された電話帳データを、転送手段15を介してクライアントコンピュータ11Ａから携帯電話機ＨＰに転送する。
携帯電話機ＨＰにおいては、クライアントコンピュータ11Ａから取得した電話帳データを当該携帯電話機ＨＰの電話帳システムに登録して、電話帳システムとして使用可能状態に設定する。
【００１２】
このようにして、携帯電話機に登録された電話帳データを用いることによって、電話を掛けるときには前記電話帳システムに登録された相手先を選択指定するだけで電話を掛けることができるのである。
前記仲介ショップの店員は、紙媒体をセンタへ電送する作業と、電子化された電話帳データをサーバコンピュータからクライアントコンピュータへ転送して、さらに、ユーザの携帯電話機へ転送する作業を行うだけでよいので、高度な知識や経験は不要であり、安価な人件費のパートタイマーやアルバイト店員で十分である。
また、付加的なサービスとして、電子化された電話帳データをプリンタ13を用いてプリントアウトするサービスも提供できる。このようにプリントアウトした電話帳データは、予備的に保存しておくことができるとともに、電子化された内容のチェックにも便利である。
【００１３】
さらに以下のようなサービスを提供することも可能である。
（１）以上のようにしてサーバコンピュータに蓄積された電話帳データを、電話帳サーバコンピュータに登録し、ユーザは、自分の携帯電話機で前記センタ２のオペレータを呼び出して、自分の電話帳データに登録されている任意の相手先を指定して、電話接続を希望すると、オペレータは、番号通知機能を用いて、予め登録されたユーザの登録された携帯電話の番号を確認することができるので、電話して来たユーザを特定することができる。  従って、電話して来たユーザの電話帳データを直ちに参照・検索して、指定された相手先の電話番号を特定できるので、その電話番号を指定して自動的にダイヤルする。
そして、電話を掛けて来たユーザの回線を相手先に接続することによって、前記ユーザは自分でダイヤルしなくても希望の相手先と回線接続される。
これらの一連の処理を回線制御手段が行う。
（２）ユーザは、自分の携帯電話機で前記センタ２のオペレータを呼び出して、「いつものソバの出前を取りたい。」とか、「いつもの歯医者を予約したい。」とか、自分の要望を言葉でオペレータに伝えると、オペレータは、前記ユーザの電話帳データから、当該ユーザが従来より利用しているソバ屋や、歯科医院に電話してユーザの要望を伝えるといういサービスを提供することも可能である。
（３）緊急事態には、ユーザは、自分の携帯電話機で前記センタ２のオペレータを呼び出して緊急事態であることを告げるだけで、オペレータは予め契約している警備会社等に連絡したり救急車を手配したりすることができる。
従って、独居老人等の安全をサポートすることができる。
このとき、携帯電話機としては、ＧＰＳ機能を備えたものが好ましく、前記センタへの電話のみが可能な特定のボタンを備えたものでもよい。
【図面の簡単な説明】
【００１４】
【図１】本発明にかかる電話帳データ登録システムの実施の形態の構成を示した構成図である。
【図２】本発明にかかる電話帳データ登録システムの使用形態の構成を示した構成図である。
【符号の説明】
【００１５】
１Ａ  仲介ショップ
11Ａ  クライアントコンピュータ
12    ファックス装置
13    プリンタ
14    通信手段
15    転送手段
２    センタ
22    ファックス装置
３    サーバコンピュータ
Ｎ    ネットワーク
ＨＰ  携帯電話機
【図１】
2005130263.tif 000003
【図２】
2005130263.tif 000004